(57)【要約】【課題】  本発明は、摩擦力により親水コートが剥がれることを抑制できる撮像装置を提供することを目的とする。【解決手段】  カメラ部と、前記カメラ部を収納する本体と、外表面に親水コートが施されるとともに前記カメラ部を覆う半球状のドームカバーと、前記ドームカバーの外表面を保護する保護フィルムと、前記ドームカバーが載置可能であり、前記ドームカバーが載置された際に前記ドームカバーの外表面を覆うように構成されるカバー部材と、を備え、前記カバー部材は、前記カバー部材上に載置された前記ドームカバーから前記保護フィルムを除去する為の第１の開口部を有する。【選択図】  図６
2019090862.tif 000002
【特許請求の範囲】
【請求項１】
カメラ部と、
前記カメラ部を収納する本体と、
外表面に親水コートが施されるとともに前記カメラ部を覆う半球状のドームカバーと、
前記ドームカバーの外表面を保護する保護フィルムと、
前記ドームカバーが載置可能であり、前記ドームカバーが載置された際に前記ドームカバーの外表面を覆うように構成されるカバー部材と、を備え、
前記カバー部材は、前記カバー部材上に載置された前記ドームカバーから前記保護フィルムを除去する為の第１の開口部を有することを特徴とする撮像装置。
【請求項２】
前記カバー部材は、筒状であり、
前記第１の開口部は、前記カバー部材の底面、または、側面の少なくとも一方に形成されることを特徴とする、請求項１に記載の撮像装置。
【請求項３】
前記カバー部材は、前記本体に対して着脱可能に構成されることを特徴とする、請求項１または請求項２に記載の撮像装置。
【請求項４】
前記カバー部材は、熱可塑性の樹脂、またはパルプ材で形成されることを特徴とする、請求項１から請求項３のいずれか一項に記載の撮像装置。
【発明の詳細な説明】
【技術分野】
【０００１】
本発明は、周辺環境を監視及び撮影する目的で、建造物の天井や壁面に設置される撮像装置に関するものである。
【背景技術】
【０００２】
監視・撮影を目的とした撮像装置には、画像を遠隔的にモニタリングできるドーム型ネットワークカメラがある。ドーム型ネットワークカメラでは、汚損や破損、用途や目的に応じてドームカバーを交換する作業を、設置作業者が現場で行うケースがある。
【０００３】
例えば、既存のドームカバーを、親水コートが施されたドームカバーに交換するケースが考えられる。ドームカバー表面に親水コートを施していれば、付着した水滴が表面上で広がって薄い膜となるため、光の乱反射が抑えられ、視認性が向上する。更に、親水コートにより雨水が砂埃等の汚れを浮かして流し落とす効果をもたらし、防汚性を実現できる。そのため、ドームカバーに水滴や砂埃が付着しやすい屋外環境で使用されることがあるネットワークカメラには、親水コートが施されていることがある。
【０００４】
しかしながら、ドームカバーの交換や設置作業時に、設置作業者が親水コートに触れることがある。これにより、親水コートが剥がれ、視認性や防汚性が低下してしまうおそれがある。
【０００５】
このような問題を解決する手段として、特許文献１のように、ドームカバーを保護フィルムで覆う技術が提案されている。
【０００６】
特許文献１には、保護フィルムで覆われたドームカバーを保護フィルム側から把持した状態で、ドームカバーの内側に畳み込まれた保護フィルムの外周部を広げ、取り付け部へ差し込むことが開示されている。
【先行技術文献】
【特許文献】
【０００７】
【特許文献１】特開２０００−１６５７１１号公報
【発明の概要】
【発明が解決しようとする課題】
【０００８】
しかしながら、特許文献１のように、保護フィルムで覆われたドームカバーを保護フィルムを介して把持した場合、ドームカバーの表面と保護フィルムの間に指圧による摩擦力が働くことになる。そのため、親水コートが剥がれることが懸念される。
【０００９】
そこで、本発明は、摩擦力により親水コートが剥がれることを抑制できる撮像装置を提供することを目的とする。
【課題を解決するための手段】
【００１０】
本発明は、上記課題を鑑みたものであり、カメラ部と、前記カメラ部を収納する本体と、外表面に親水コートが施されるとともに前記カメラ部を覆う半球状のドームカバーと、前記ドームカバーの外表面を保護する保護フィルムと、前記ドームカバーが載置可能であり、前記ドームカバーが載置された際に前記ドームカバーの外表面を覆うように構成されるカバー部材と、を備え、前記カバー部材は、前記カバー部材上に載置された前記ドームカバーから前記保護フィルムを除去する為の第１の開口部を有する。
【発明の効果】
【００１１】
本発明によれば、カバー部材は第１の開口部を備えるため、ドームカバーと本体で挟持した保護フィルムを、ドームカバー表面を指で把持することなく、本体から除去することが可能になる。
【００１２】
従って、ドームカバー表面と保護フィルムの間に指圧による摩擦力が働くことがないため、親水コートが剥がれることを抑制できる。
【図面の簡単な説明】
【００１３】
【図１】実施例１に記載の撮像装置の説明図
【図２】実施例１に記載の撮像装置の分解斜視図
【図３】実施例１に記載のトップケース分解図
【図４】実施例１に記載のトップケースとカバー部材の説明図
【図５】実施例１に記載のドームカバー挿入作業の説明図
【図６】実施例１に記載の保護フィルム除去作業の説明図
【図７】実施例１に記載の第一の開口部の説明図
【図８】実施例１に記載の第一の開口部の説明図
【図９】実施例１に記載のドーム固定部材取り付け作業の説明図
【図１０】実施例１に記載のトップケース仮固定作業の説明図
【図１１】実施例１に記載のカバー部材取り外し作業の説明図
【図１２】実施例１に記載のトップケース本固定作業の説明図
【図１３】実施例１に記載のドームカバーの梱包形態の説明図
【図１４】実施例２に記載のドームカバー部材の説明図
【図１５】実施例２に記載のトップケースとカバー部材の説明図
【図１６】実施例２に記載のドームカバー挿入作業の説明図
【図１７】実施例２に記載の保護フィルム除去作業の説明図
【図１８】実施例２に記載のドームカバーの梱包形態の説明図
【発明を実施するための形態】
【００１４】
〔実施例１〕
以下、本発明を適用した撮像装置について説明する。尚、本発明に直接関係のないプリント基板やケーブル、部品についての説明は割愛し、不図示とする。
【００１５】
図１は、撮像装置１００の全体図である。図２は、撮像装置１００の分解斜視図である。図３は、トップケース１０３の分解斜視図である。図４は、トップケース１０３とカバー部材３０１の構成図である。撮像装置１００は、ドームカバー１０１と、本体１０２と、カバー部材３０１と、保護フィルム４０１と、を有している。
【００１６】
ドームカバー１０１は、レンズ鏡筒ユニット２０２を含むカメラ部２０１の外周を覆うように配設される。ドームカバー１０１は、略半球状の透明部材であり、外表面には親水コートが施されている。ドームカバー１０１は、フランジ部１０１ａを有する。ドームカバー１０１のフランジ部１０１ａは、図３に示すように、トップケース１０３とドーム固定部材１０５に挟持されることで固定される。ドーム固定部材１０５は螺子等の固定手段により、トップケース１０３に固定される。これにより、ドームカバー１０１は、交換可能に取り付けられる。
【００１７】
カメラ部２０１は、レンズ鏡筒ユニット２０２を、各々Ｐ軸、Ｔ軸、Ｒ軸周りに手動、又は電動で回転可能な構成となっており、設置作業者がレンズ鏡筒ユニット２０２を撮影したい方向に向けることが可能である。
【００１８】
本体１０２はトップケース１０３とボトムケース１０４から構成される。本体１０２は、カメラ部２０１を収納する。
【００１９】
トップケース１０３にはトップ螺子穴１０３ａが形成されており、ケース螺子１０６を挿通させることにより、トップケース１０３はボトムケース１０４に固定される。
【００２０】
保護フィルム４０１は、ドームカバー１０１の外表面を保護する。また、保護フィルム４０１は、非粘着性である。
【００２１】
カバー部材３０１は、ドームカバー１０１が載置可能であり、ドームカバー１０１が載置された際にドームカバー１０１の外表面を覆うように構成されている。また、カバー部材３０１は、筒状であり、本体に対して着脱可能に構成される。また、カバー部材３０１は、カバー部材上に載置されたドームカバー１０１から保護フィルム４０１を除去する為の第１の開口部３０１ｂを有する。第１の開口部３０１ｂは、図６（ａ）に示すように、カバー部材３０１の底面から側面にかけて形成されている。なお、図７、及び図８に示すように、第１の開口部は、第１の開口部底面３０１ｅ、もしくは第１の開口部側面３０１ｆの一方に形成されていても良い。また、カバー部材３０１は、熱可塑性の樹脂で形成されている。
【００２２】
また、カバー部材３０１には、トップケース１０３のトップ螺子穴１０３ａと同じ配置に、カバー貫通穴３０１ａが形成されている。カバー螺子３１０を、カバー貫通穴３０１ａとトップ螺子穴１０３ａに挿通させることにより、カバー部材３０１はトップケース１０３に固定される。尚、本実施例では、トップケース１０３やカバー部材３０１の固定手段を螺子として説明しているが、固定手段は螺子以外の手段としても良い。
【００２３】
次に、カバー部材３０１の使用方法について説明する。図５は、ドームカバー１０１のカバー部材３０１への挿入作業の説明図である。図６は、保護フィルム４０１の除去作業の説明図である。図９は、ドーム固定部材１０５の取り付け作業の説明図である。図１０は、トップケース１０３の仮固定作業の説明図である。図１１は、カバー部材３０１の取り外し作業の説明図である。図１２は、トップケース１０３の本固定作業の説明図である。ドームカバー１０１は保護フィルム４０１で保護された状態で、トップケース１０３に形成された、ドーム挿入穴１０３ｂに挿入される。
【００２４】
設置作業者は、第１の開口部３０１ｂから指を挿入し、保護フィルム４０１を図中Ｆ方向へ引抜き、図６（ｂ）に示すように、保護フィルム４０１を除去する。この時、ドームカバー１０１の表面と保護フィルム４０１の間に摩擦力は働くが、指圧による摩擦力と比べると小さい摩擦力であるため、親水コート面が摩耗する、若しくは、コートが剥がれることを抑制できる。
【００２５】
保護フィルムを除去した後に、ドーム固定部材１０５とトップケース１０３で、フランジ部１０１ａを挟持する。ドーム固定部材１０５は螺子等の固定手段により、トップケース１０３に固定される。
【００２６】
カバー部材３０１を固定した状態で、トップケース１０３をボトムケース１０４へ取り付ける。ケース螺子１０６をトップ螺子穴１０３ａに挿通させることにより、トップケース１０３はボトムケース１０４に仮固定される。ドームカバー１０１の表面は、第１の開口部３０１ｂの内側に位置しているため、設置作業時に傷を付けるリスクを低減できる。
【００２７】
トップケース１０３取り付け後に、カバー螺子３１０を取り外すことで、カバー部材３０１をトップケース１０３から取り外す。
【００２８】
最後に、ケース螺子１０６をトップ螺子穴１０３ａに挿通させることにより、トップケース１０３はボトムケース１０４に本固定され、設置完了となる。
【００２９】
尚、レンズ鏡筒ユニット２０２の回転駆動が手動の場合は、カバー部材３０１は透明部材であることが望ましい。設置作業者は手作業でレンズ鏡筒ユニット２０２の方向を調整し、調整後にトップケース１０３を取り付ける。カバー部材３０１が透明部材であれば、カバー部材３０１を取り付けた状態でも、撮影画像が確認できるため、カバー部材３０１を取り付けた状態で、トップケース１０３の取り付け、取り外しが可能となる。よって、ドームカバー１０１の表面に傷を付けるリスクを低減できる。
【００３０】
以上述べたように、本発明によれば、カバー部材３０１は、第１の開口部３０１ｂを備えるため、ドームカバー１０１とトップケース１０３で挟持した保護フィルム４０１を、ドームカバー１０１の表面を指で把持することなく、除去することが可能になる。従って、ドームカバー１０１の表面と保護フィルム４０１の間に指圧による摩擦力が働くことがないため、親水コートが剥がれることを抑制できる。
【００３１】
また、カバー部材は、ドームカバー輸送時の保護部材として用いることができる。以下に、ドームカバー輸送時の保護部材として用いた例について説明する。
【００３２】
図１３は、ドームカバー１０１の梱包形態の説明図である。図１３（ａ）に示すように、ドームカバー１０１の輸送時は、フランジ部１０１ａが、カバー部材３０１に形成されたフランジ支持部３０１ｃに挿入される。ドームカバー１０１の表面は、第１の開口部３０１ｂの内側に挿入されるため、物理的なダメージから保護されている。そのため、カバー部材３０１は、ドームカバー１０１輸送時の保護部材として用いることが可能である。図１３（ｂ）に示すように、カバー部材３０１には、最外形からフランジ支持部３０１ｃまで繋がる第２の開口部３０１ｄが形成されている。設置作業者は、第２の開口部３０１ｄに指を挿入し、フランジ部１０１ａの図中Ｇ部を指で把持することが可能である。即ち、設置作業者は、フランジ部１０１ａを指で確実に把持することで、ドームカバー１０１の表面を指で把持することなく、取り出すことができるので、ドームカバー１０１の表面に傷を付けるリスクを低減できる。
【００３３】
〔実施例２〕
次に第２の実施例について説明する。尚、実施例１と内容が重複する撮像装置に関する説明、ドームカバーの交換作業に関する説明は割愛する。
【００３４】
図１４は、パルプ材を採用した時のカバー部材５０１の構成図である。尚、図１４の形状はその一例であり、形を限定するものではない。カバー部材５０１は、ベース部５０２と蓋部５０３で構成されている。蓋部５０３には、ドーム開口部５０３ａが形成されており、ドーム開口部５０３ａの直径を変更することで、様々なドームカバーに対応できる。そのため、ドームカバーのサイズを変更しても、大規模な金型の変更が必要なく、対応が容易である、という効果がある。
【００３５】
図１５は、トップケース１０３とカバー部材５０１の構成図である。蓋部５０３には、トップ螺子穴１０３ａの少なくとも１箇所と同じ配置に、カバー貫通穴５０３ｂが形成されている。ベース部５０２に形成された工具穴５０２ａから工具を挿入し、カバー螺子５１０を、カバー貫通穴５０３ｂとトップ螺子穴１０３ａに挿通させることにより、カバー部材５０１はトップケース１０３に固定される。
【００３６】
図１６は、ドームカバー１０１の挿入作業の説明図である。設置作業者は、カバー部材５０１を交換台として用いて、非粘着性の保護フィルム４０１で表面を覆われたドームカバー１０１を、トップケース１０３に形成された、ドーム挿入穴１０３ｂに挿入する。
【００３７】
図１７は、保護フィルム４０１除去作業の説明図である。図１７（ａ）に示すように、カバー部材５０１の側面には、第一の開口部５０１ａが形成されている。設置作業者は、第一の開口部５０１ａから指を挿入し、保護フィルム４０１を図中Ｆ２方向へ引抜き、図１７（ｂ）に示すように、保護フィルム４０１を、ドームカバー１０１の表面を指で把持することなく除去する。
【００３８】
以上述べたように、本発明によれば、カバー部材５０１は蓋部５０３のみを変更することで、様々なドームカバーへ対応することが可能となる。更に、ドームカバー１０１とトップケース１０３で挟持した保護フィルム４０１を、ドームカバー１０１の表面を把持することなく、除去することが可能になる。
【００３９】
また、実施例２記載のカバー部材は、ドームカバー輸送時の保護部材として用いることができる。以下に、ドームカバー輸送時の保護部材として用いた例について説明する。
【００４０】
図１８は、ドームカバー１０１の梱包形態の説明図である。図１８（ａ）に示すように、ドームカバー１０１は、蓋部５０３に形成されたドーム開口部５０３ａに挿入される。ドームカバー１０１の表面は、第一の開口部５０１ａの内側に挿入されるため、物理的なダメージから保護されている。図１８（ｂ）に示すように、蓋部５０３には、フランジ部１０１ａを支持する箇所に、第二の開口部５０３ｃが形成されている。設置作業者は、第二の開口部５０３ｃに指を挿入し、フランジ部１０１ａの図中Ｇ２部を指で把持することが可能である。即ち、設置作業者は、フランジ部１０１ａを指で確実に把持することで、ドームカバー１０１の表面を指で把持することなく、取り出すことが可能になる。
【符号の説明】
【００４１】
１００  撮像装置
１０１  ドームカバー
１０１ａ  フランジ部
１０２  本体
１０３  トップケース
１０３ａ  トップ螺子穴
１０３ｂ  ドーム挿入穴
１０４  ボトムケース
１０５  ドーム固定部材
１０６  ケース螺子
２０１  カメラ部
２０２  レンズ鏡筒ユニット
３０１  カバー部材
３０１ａ  カバー貫通穴
３０１ｂ  第１の開口部
３０１ｃ  フランジ支持部
３０１ｄ  第２の開口部
３０１ｅ  第１の開口部底面
３０１ｆ  第１の開口部側面
３１０  カバー螺子
４０１  保護フィルム
５０１  カバー部材
５０１ａ  第一の開口部
５０２  ベース部
５０２ａ  工具穴
５０３  蓋部
５０３ａ  ドーム開口部
５０３ｂ  カバー貫通穴
５０３ｃ  第二の開口部
５１０  カバー螺子
【図１】
2019090862.tif 000003
【図２】
2019090862.tif 000004
【図３】
2019090862.tif 000005
【図４】
2019090862.tif 000006
【図５】
2019090862.tif 000007
【図６】
2019090862.tif 000008
【図７】
2019090862.tif 000009
【図８】
2019090862.tif 000010
【図９】
2019090862.tif 000011
【図１０】
2019090862.tif 000012
【図１１】
2019090862.tif 000013
【図１２】
2019090862.tif 000014
【図１３】
2019090862.tif 000015
【図１４】
2019090862.tif 000016
【図１５】
2019090862.tif 000017
【図１６】
2019090862.tif 000018
【図１７】
2019090862.tif 000019
【図１８】
2019090862.tif 000020